(57)【要約】【課題】クリーニング液をかみそりヘッドへ送給しながら洗浄を行うクリーニング装置において、ポンプから送給されるクリーニング液の全てをかみそりヘッドへ送給して、洗浄を短時間で効果的に行い、しかもクリーニング液の無駄な消費を一掃する。【解決手段】ハウジング１１の内部に、タンク１２と、ポンプ１３を設ける。ハウジング１１の上下に、洗浄部１８および液受室１９と、電気かみそりを支持する装填部２０を設ける。装填部２０に、クリーニング液をかみそりヘッド２へ送給するための継手体３５を設け、電気かみそりを装填部２０に装填した状態において、継手体３５を電気かみそりの受液口４０と連結できるようにする。以て、ポンプ１３で送給されたクリーニング液の全てを、かみそりヘッド２の内部に送給する。【選択図】図１
2008119033.tif 000002
【特許請求の範囲】
【請求項１】
ハウジング（１１）の内部に、クリーニング液を貯留するタンク（１２）と、タンク（１２）内のクリーニング液を送給するポンプ（１３）とが設けられており、
ハウジング（１１）の上下に、電気かみそりのかみそりヘッド（２）を受け入れる洗浄部（１８）と、洗浄後のクリーニング液を受ける液受室（１９）とが設けられており、
ハウジング（１１）の上部には、かみそりヘッド（２）が洗浄部（１８）に臨む状態で電気かみそりを支持する装填部（２０）が設けられており、
ハウジング（１１）に、クリーニング液をかみそりヘッドへ送給するための継手体（３５）が設けられており、
前記継手体（３５）を電気かみそりに設けた受液口（４０）と連通連結した状態で、電気かみそりを装填部（２０）に装填できる電気かみそりのクリーニング装置。
【請求項２】
受液口（４０）に逆止弁（４２）が設けてある請求項１記載の電気かみそりのクリーニング装置。
【請求項３】
装填部（２０）の上面に前記継手体（３５）が設けてある請求項１または２記載の電気かみそりのクリーニング装置。
【請求項４】
前記逆止弁（４２）が、ゴム成形品からなるダックビル弁である請求項２または３記載の電気かみそりのクリーニング装置。
【請求項５】
ダックビル弁（４２）の一端に液入口（４５）が、他端にチェック弁（４６）が設けられており、
電気かみそりを装填部（２０）の上面に装填した状態において、液入口（４５）の周縁壁が前記継手体（３５）に密着接合している請求項４記載の電気かみそりのクリーニング装置。
【請求項６】
電気かみそりを装填部（２０）の上面に装填した状態において、継手体（３５）が受液口（４０）、ないし液入口（４５）に密着嵌合している請求項２、３または４記載の電気かみそりのクリーニング装置。
【請求項７】
受液口（４０）がかみそりヘッド（２）の外面壁に開口してある請求項２ないし６記載の電気かみそりのクリーニング装置。
【請求項８】
装填部（２０）に、電気かみそりに設けたコネクター（９）に接続されるコネクター（３６）が設けてある請求項１から６のいずれかに記載の電気かみそりのクリーニング装置。
【請求項９】
コネクター（３６）が装填部（２０）で移動可能に支持されて、コネクター（３６）と継手体（３５）との間隔が変更可能である請求項８記載の電気かみそりのクリーニング装置。
【請求項１０】
ハウジング（１１）に、電気かみそりを装着するためのホルダー（６５）が設けられており、ホルダー（６５）は、かみそりヘッド（２）が洗浄部（１８）に臨む洗浄姿勢と、かみそりヘッド（２）が洗浄部（１８）から退避する待機姿勢との間を往復変位できるよう支持されており、
ホルダー（６５）を洗浄姿勢にした状態において、ホルダー（６５）に装着した電気かみそりの受液口（４０）が継手体（３５）と連結できる請求項１記載の電気かみそりのクリーニング装置。
【請求項１１】
ハウジング（１１）に、電気かみそりを装着するためのホルダー（６５）が設けられており、
ホルダー（６５）は、かみそりヘッド（２）が洗浄部（１８）に臨む洗浄姿勢と、かみそりヘッド（２）が洗浄部（１８）から退避する待機姿勢との間を変位できるよう、装填部（２０）で往復変位可能に支持されており、
ホルダー（６５）に継手体（３５）が配置してある請求項１記載の電気かみそりのクリーニング装置。
【請求項１２】
ハウジング（１１）に、洗浄部（１８）およびかみそりヘッド（２）を覆う洗浄部カバー（５５）が設けられており、
洗浄部カバー（５５）が、洗浄部（１８）およびかみそりヘッド（２）を覆う被覆姿勢と、洗浄部（１８）およびかみそりヘッド（２）の外面を開放する開放姿勢とに開閉可能に支持してある請求項９または１０記載の電気かみそりのクリーニング装置。
【請求項１３】
被覆姿勢に切り換えた洗浄部カバー（５５）を開放不能に固定保持するロック構造が、洗浄部カバー（５５）とハウジング（１１）との間に設けられており、
電気かみそりが、被覆姿勢に切り換えた洗浄部カバー（５５）で装填部（２０）に押圧固定してある請求項９、１０または１１記載の電気かみそりのクリーニング装置。
【請求項１４】
洗浄部（１８）の上方に装填部（２０）が斜めに傾斜する状態で設けられており、
洗浄部（１８）に臨む装填部（２０）の傾斜壁の中途部に継手体（３５）が、傾斜壁の上部に電気かみそりを倒立姿勢で支持するホルダー（６５）が設けられており、
ホルダー（６５）は、かみそりヘッド（２）が洗浄部（１８）に臨む洗浄姿勢と、かみそりヘッド（２）が洗浄部（１８）から退避する待機姿勢との間を往復揺動変位できるよう支持されており、
ホルダー（６５）に、電気かみそりに設けたコネクター（９）に接続されるコネクター（３６）が設けてある請求項９、１１または１２記載の電気かみそりのクリーニング装置。
【発明の詳細な説明】
【技術分野】
【０００１】
本発明は、クリーニング液をかみそりヘッドの内部に供給して、内刃や外刃の摺接面に付着した毛屑や皮脂などを洗浄する電気かみそりのクリーニング装置に関する。
【背景技術】
【０００２】
この種のクリーニング装置は特許文献１に公知である。そこでは、電気かみそりを受台上に横臥姿勢で装填し、クリーニング液をフラットノズルでかみそりヘッドの上表面の全体に噴き出し供給したうえで、内刃を駆動しながらかみそりヘッド内の洗浄を行う。この種の、いわば洗流し方式のクリーニング装置は、常にろ過された後のクリーニング液で外刃や内刃を洗浄できる。また、洗浄終了後には、ファンから送出される乾燥風によって、かみそりヘッドを乾燥できる。電気かみそり内部に２次電池が設けてある場合には、洗浄と同時に、あるいは乾燥後に２次電池を充電することができる。
【０００３】
【特許文献１】特表２００５−５２６５６２号公報（段落番号００２９、図１）
【発明の開示】
【発明が解決しようとする課題】
【０００４】
特許文献１のクリーニング装置は、フラットノズルでクリーニング液を噴き出し供給しながら洗浄を行うので、洗浄槽に貯留したクリーニング液にかみそりヘッドを浸漬した状態で洗浄を行う場合に比べて、クリーニング液の貯留量を減少し、装置全体をコンパクト化できる。また、ろ過された後のきれいなクリーニング液で洗浄を行うので、かみそりヘッドの内部を効果的に洗浄できる。
【０００５】
しかし、クリーニング液をフラットノズルでかみそりヘッドの上表面の全体に噴き出し供給しながら洗浄を行うので、クリーニング液をかみそりヘッド内へ効果的に送給することができない。また、クリーニング液の一部が、かみそりヘッドに入り込むこともなくヘッド表面に沿って流下するのを避けられず、したがって、フラットノズルから噴き出されたクリーニング液が無駄に消費される。
【０００６】
本発明の目的は、クリーニング液の全てをかみそりヘッド内へ送給して、かみそりヘッド内部の洗浄を短時間で効果的に行え、しかもクリーニング液の無駄な消費を抑制して、効率よくかみそりヘッドを洗浄できるクリーニング装置を提供することにある。
【課題を解決するための手段】
【０００７】
本発明のクリーニング装置は、図１に示すようにハウジング１１の内部に、クリーニング液を貯留するタンク１２と、タンク１２内のクリーニング液を送給するポンプ１３とを設ける。ハウジング１１の上下に、電気かみそりのかみそりヘッド２を受け入れる洗浄部１８と、洗浄後のクリーニング液を受ける液受室１９とを設ける。ハウジング１１の上部には、かみそりヘッド２が洗浄部１８に臨む状態で電気かみそりを支持する装填部２０を設ける。ハウジング１１に、クリーニング液をかみそりヘッドへ送給するための継手体３５を設け、継手体３５を電気かみそりに設けた受液口４０と連通連結した状態で、電気かみそりを装填部２０に装填できるようにする。
【０００８】
好ましくは、受液口４０に逆止弁４２を設けて、クリーニング液の逆流を防ぐ。
【０００９】
装填部２０の上面に継手体３５を設ける。
【００１０】
逆止弁４２は、ゴム成形品からなるダックビル弁からなる。
【００１１】
ダックビル弁４２の一端に液入口４５を、他端にチェック弁４６を設ける。電気かみそりを装填部２０の上面に装填した状態において、図１０に示すように、液入口４５の周縁壁を前記継手体３５に密着接合する。
【００１２】
電気かみそりを装填部２０の上面に装填した状態において、図１に示すように継手体３５を受液口４０、ないし液入口４５に密着嵌合させる。
【００１３】
図４に示すように、受液口４０はかみそりヘッド２の外面壁に開口する。
【００１４】
装填部２０に、電気かみそりに設けたコネクター９に接続されるコネクター３６を設ける。
【００１５】
図２に示すように、コネクター３６を装填部２０で移動可能に支持して、コネクター３６と継手体３５との間隔を変更可能とする。
【００１６】
ハウジング１１に、電気かみそりを装着するためのホルダー６５を設ける。ホルダー６５は、図６に示すように、かみそりヘッド２が洗浄部１８に臨む洗浄姿勢と、かみそりヘッド２が洗浄部１８から退避する待機姿勢との間を往復変位できるように支持する。ホルダー６５を洗浄姿勢にした状態において、ホルダー６５に装着した電気かみそりの受液口４０が継手体３５と連結できるにする。
【００１７】
ハウジング１１に、電気かみそりを装着するためのホルダー６５を設ける。図７に示すように、ホルダー６５は、かみそりヘッド２が洗浄部１８に臨む洗浄姿勢と、かみそりヘッド２が洗浄部１８から退避する待機姿勢との間を変位できるよう、装填部２０で往復変位可能に支持する。ホルダー６５には、継手体３５を配置する。
【００１８】
ハウジング１１に、洗浄部１８およびかみそりヘッド２を覆う洗浄部カバー５５を設ける。図１に示すように、洗浄部カバー５５は、洗浄部１８およびかみそりヘッド２を覆う被覆姿勢と、図２に示すように、洗浄部１８およびかみそりヘッド２の外面を開放する開放姿勢とに開閉可能に支持する。
【００１９】
図２に示すように、被覆姿勢に切り換えた洗浄部カバー５５を開放不能に固定保持するためのロック構造を、洗浄部カバー５５とハウジング１１との間に設ける。以て、電気かみそりを、被覆姿勢に切り換えた洗浄部カバー５５で装填部２０に押圧固定できるようにする。
【００２０】
図８に示すように、洗浄部１８の上方に装填部２０を斜めに傾斜する状態で設ける。洗浄部１８に臨む装填部２０の傾斜壁の中途部に継手体３５を、傾斜壁の上部に電気かみそりを倒立姿勢で支持するホルダー６５をそれぞれ設ける。ホルダー６５は、かみそりヘッド２が洗浄部１８に臨む洗浄姿勢と、かみそりヘッド２が洗浄部１８から退避する待機姿勢との間を往復揺動変位できるよう支持する。ホルダー６５に、電気かみそりに設けたコネクター９に接続されるコネクター３６を設ける。
【発明の効果】
【００２１】
本発明においては、クリーニング液をかみそりヘッド２に送給しながら洗浄を行うクリーニング装置において、ハウジング１１に設けた継手体３５を電気かみそりに設けた受液口４０と連通連結した状態で、電気かみそりを装填部２０に装填できるようにするので、ポンプ１３から送給されるクリーニング液の全てを、継手体３５と受液口４０を介してかみそりヘッド２の内部へ直接送給できる。したがって、本発明のクリーニング装置によれば、ポンプ１３から送給されたクリーニング液の全量を無駄なくかみそりヘッド２の内部へ送給して、外刃３や内刃４はもちろん、かみそりヘッド２の内部の洗浄を短時間で効果的に行える。従来の洗流し方式のクリーニング装置に比べて、クリーニング液の無駄な消費を抑制して、その分だけ効率よくかみそりヘッド２を洗浄できる。
【００２２】
受液口４０に逆止弁４２を設けると、通常のひげそり時に受液口４０を逆止弁４０で閉止保持して、かみそりヘッド２内に溜まった毛屑が外部へ漏れ出るのを確実に防止できる。
【００２３】
継手体３５が装填部２０の上面に設けてあると、電気かみそりを装填部２０に装着することで受液口４０と継手体３５とを簡便に連結でき、しかも電気かみそりの重量によって受液口４０と継手体３５とを密着接合し、両者３５・４０の連結状態を維持できる。
【００２４】
ゴム成形品からなるダックビル弁で逆止弁４２を構成すると、弁構造が簡素であるにもかかわらず確実な逆止作用を発揮でき、逆止弁４２を通過したクリーニング液に含まれる毛屑や皮脂が、ポンプ１３を停止した直後に継手体３５の側へ逆流するのをより確実に防止できる。
【００２５】
図１０に示すように、電気かみそりを装填部２０の上面に装填した状態において、ダックビル弁４２の液入口４５の周縁壁を継手体３５に密着接合する連結構造によれば、ダックビル弁４２自体をシール体に利用して、ダックビル弁４２と継手体３５との接合面をシールでき、別途シール体を設ける必要がない分だけ構造の簡素化とコスト減とを実現できる。
【００２６】
電気かみそりを装填部２０の上面に装填した状態において、図１に示すように継手体３５を液入口４５に密着嵌合させ、あるいは継手体３５を受液口４０に密着嵌合させる連結構造によれば、受液口４０または液入口４５と継手体３５との嵌合構造によって電気かみそりを位置決めできるうえ、内刃４を駆動しながら洗浄するときの振動で、装填部２０に装着した電気かみそりがずれ動くのを防止できる。
【００２７】
図４に示すように、かみそりヘッド２の外面壁に受液口４０が開口してあると、ポンプ１３から送給されたクリーニング液を直接かみそりヘッド２の内部に供給できるので、例えば本体部１の側に受液口４０を設ける場合に比べて電気かみそりの内部構造を簡素化できる。さらに、洗浄時には内刃４の駆動によるクリーニング液の攪拌作用に加えて、受液口４０または逆止弁４２から送出されるクリーニング液によっても、かみそりヘッド２の内部に滞留しているクリーニング液を攪拌できるので、かみそりヘッド２の内部の隅々までクリーニング液を行き渡らせて洗浄効果を向上できる。
【００２８】
装填部２０に電気かみそりのコネクター９に対応するコネクター３６が設けてあると、電気かみそりを装填部２０に載置装着するだけで、クリーニング装置と電気かみそりとを電気的に接続でき、両コネクター９・３６を接続操作する手間を省くことができる。
【００２９】
コネクター３６を装填部２０で移動可能に支持して、コネクター３６と継手体３５との間隔を変更できるクリーニング装置によれば、電気かみそりのコネクター（給電用のプラグ）９の配設位置に応じてコネクター３６の位置を変更することにより、コネクター９の配設位置が異なる複数種の電気かみそりを装填部２０に支障なく装填して、クリーニング装置を共用できる。さらに、決められた位置にコネクター９を設ける必要がないので、電気かみそりのデザインに関して設計の自由度を拡大できる。
【００３０】
図６に示すように、ハウジング１１に電気かみそりを装着するためのホルダー６５を設け、このホルダー６５を待機姿勢から洗浄姿勢に変位操作した状態において、電気かみそりの受液口４０を継手体３５と連結できるにしたクリーニング装置によれば、電気かみそりをホルダー６５に装着した時点で正しく位置決めできるので、以後はホルダー６５を単に変位操作するだけで、継手体３５と受液口４０とを適正に連結できる。洗浄後には、ホルダー６５を待機姿勢へ戻すことにより、かみそりヘッド２を洗浄部１８から退避できるので、電気かみそりのホルダー６５からの取り外し操作を簡便に行える。
【００３１】
図７に示すように、ホルダー６５を装填部２０で洗浄姿勢と待機姿勢とに往復変位可能に支持し、ホルダー６５に継手体３５を配置したクリーニング装置によれば、洗浄部１８から離れた開放的な空間で、受液口４０（または液入口４５）と継手体３５とを接続でき、電気かみそりのホルダー６５に対する装着を容易に、しかも簡便に行える。
【００３２】
洗浄部１８およびかみそりヘッド２を覆う被覆姿勢と、洗浄部１８およびかみそりヘッド２の外面を開放する開放姿勢とに開閉される洗浄部カバー５５を設けたクリーニング装置によれば、かみそりヘッド２の外面に飛散する洗浄後のクリーニング液を洗浄部カバー５５で受け止めて、クリーニング装置の周辺が洗浄後のクリーニング液で汚損されるのを防止できる。
【００３３】
洗浄部カバー５５とハウジング１１との間に、被覆姿勢に切り換えた洗浄部カバー５５を開放不能に固定保持するためのロック構造を設け、被覆姿勢に切り換えた洗浄部カバー５５で電気かみそりを装填部２０に押圧固定できるようにしたクリーニング装置によれば、洗浄時に内刃４を駆動することで本体部１が振動する場合でも、本体部１が装填部２０から浮き離れるのを防止して、継手体３５とダックビル弁４２の連結状態を確実に維持し、さらにプラグ９とコネクター３６の係合連結状態を確実に維持し続けることができ、洗浄開始から洗浄終了まで電気かみそりを安定した状態の許に洗浄できる。
【００３４】
洗浄部１８の上方に装填部２０を斜めに傾斜する状態で設け、洗浄部１８に臨む装填部２０の傾斜壁の上部に電気かみそりを倒立姿勢で支持するホルダー６５を設け、このホルダー６５を、かみそりヘッド２が洗浄部１８に臨む洗浄姿勢と、かみそりヘッド２が洗浄部１８から退避する待機姿勢とに往復揺動変位できるよう支持するクリーニング装置によれば、電気かみそりをホルダー６５に装着したのちは、ホルダー６５を洗浄姿勢に変位操作する必要もなく、電気かみそりを自重による傾動モーメントによって装填部２０へ向かって揺動変位させ、装填部２０に設けた継手体３５とコネクター３６に、電気かみそりの受液口４０とコネクター９とを接合連結し、その状態を維持することができる。
【発明を実施するための最良の形態】
【００３５】
（実施例）  図１ないし図５は本発明に係るクリーニング装置の実施例を示す。図２において、洗浄対象となる電気かみそりは、本体部１と、本体部１の一端に設けられるかみそりヘッド２とを備えている。かみそりヘッド２には、網刃からなる断面アーチ形の一対の外刃３と、各外刃３の内面に摺接する一対の内刃４とが設けられており、本体部１の内部に設けたモーター５の回転動力で両内刃４を往復駆動できる。符号６は２次電池、７は表示用のＬＥＤ、８はメインスイッチを切り換え操作するスライドノブ、９は給電用のプラグ（コネクター）である。なお、内刃４はロータリー式の回転刃であってもよい。
【００３６】
クリーニング装置は、箱状のハウジング１１の内部に、クリーニング液を貯留するタンク１２と、タンク１２内のクリーニング液を加圧送給するポンプ１３と、乾燥風を送給するファン１４などを配置して構成する。ハウジング１１の上下には、洗浄部１８と、洗浄後のクリーニング液を受ける液受室１９とが設けられており、ハウジング１１の上面一側には、電気かみそりを支持する装填部２０が洗浄部１８へ向かって下り傾斜する状態で設けてある。
【００３７】
洗浄部１８は、かみそりヘッド２の幅寸法より僅かに大きな幅の、上下面が開口する空間からなり、その下面開口には、洗浄部１８の周壁に沿って流れ落ちるクリーニング液を流下案内する前段液ガイド２１が、洗浄部１８の周壁と一体に形成してある。液受室１９は、ハウジング１１の一側面で開口する直方体状の空間からなり、その奥端下部にポンプ１３の吸込口２２が開口してある。液受室１９の内部には、クリーニング液を貯留し、洗浄後のクリーニング液を回収するタンク１２が出し入れ自在に収容してある。
【００３８】
図１に示すように、タンク１２の上面開口はタンク蓋２３で塞がれており、タンク蓋２３に設けた装着凹部にろ過体２４が着脱自在に装着してある。ろ過体２４は、洗浄後のクリーニング液に含まれる毛屑および皮脂などの洗浄残滓をろ過するために設けられており、そのろ過材としては不織布、ろ紙、繊維マット、連続気泡性の多孔質マットなどを適用でき、前記ろ過材のひとつ、あるいは複数のろ過材を重ねた状態で保形枠に固定して構成する。
【００３９】
クリーニング液は水またはアルコールからなり、水をクリーニング液とする場合には、洗浄溶質として洗剤液、固形石鹸、粉石鹸などの界面活性剤を含むことができ、あるいは界面活性剤に加えて殺菌剤、消泡剤、潤滑剤などを含むことができる。なお、アルコールをクリーニング液の主成分とする場合には界面活性剤は使用しない。
【００４０】
タンク１２は、上面が開口する角箱状の箱体からなり、その上面開口に先のタンク蓋２３が着脱自在に装着してある。ポンプ１３の吸込口２２と正対するタンク１２の側壁下端には、吸込口２２に内嵌接続される給液口２７が形成してある。タンク１２の内部には、給液口２７を閉止するボール状の逆止弁２８と、逆止弁２８を閉じ付勢するばね２９とが配置してある。図１に示すように、逆止弁２８は、給液口２７を吸込口２２に接続した状態においてのみ、吸込口２２に設けた開放ピン３０で開弁操作されて、タンク内と吸込口２２とを連通する。吸込口２２には、液漏れを防ぐリング状のパッキン３１が装着してある。タンク１２は液受室１９に自由に出し入れでき、そのためにタンク１２の外側面に把手が設けてある。なお、洗浄部１８の周壁に沿って流れ落ちるクリーニング液を確実にろ過体２４へ流下させるために、前段液ガイド２１はろ過体２４の上面開口に比べてひと回り小さく形成してある。
【００４１】
洗浄部１８へ向かって下り傾斜する装填部２０には、継手体３５とコネクター３６とが設けてある。詳しくは、図３に示すように、電気かみそりを装填部２０に装着した状態において、かみそりヘッド２と対向する装填部２０の傾斜下部に、クリーニング液をかみそりヘッド２へ送給するための継手体３５を突設し、さらに、装填部２０の傾斜上部に、電気かみそりの本体部１に設けたプラグ９を接続するためのコネクター３６を突設している。先の継手体３５とポンプ１３の吐出口とは通路３７を介して連通してある。
【００４２】
コネクター３６は装填部２０でスライド移動可能に支持されており、これによりコネクター３６と継手体３５との間隔を大小に変更することができる。コネクター３６のスライド範囲を図２に符号Ｓで示す。このように、コネクター３６を往復スライド自在に支持することにより、コネクター３６の配設位置が異なる電気かみそりを装填部２０に支障なく装填することができる。継手体３５およびコネクター３６は、電気かみそりが洗浄部１８へ向かって滑り落ちるのを防ぐための係合体を兼ねており、継手体３５を受液口４０に嵌め込み、さらに先のプラグ９をコネクター３６に差し込み係合することにより、図１および図３に示すように電気かみそりを水平面に対して斜め下向きの姿勢で支持できる。なお、装填部２０の下半側の前後は、ハウジング１１の前後壁１１ａで覆われている。
【００４３】
電気かみそりを装填部２０に装填した状態においては、前記継手体３５がかみそりヘッド２に設けた受液口４０に嵌まり込んで後述するダックビル弁（逆止弁）４２と連通連結される。図１に示すように継手体３５は、通路３７用の継手筒３５ａと、ダックビル弁４２用の継手筒３５ｂと、両継手筒３５ａ・３５ｂの間に設けられるボス部３５ｃを一体に備えており、その継手筒３５ｂの筒直径が、受液口４０に装着したダックビル弁４２の液入口４５の内直径より僅かに大きく設定してある。
【００４４】
受液口４０は、かみそりヘッド２の外面壁、詳しくは外刃３をアーチ形状に保形保持する外刃ホルダー４３の幅方向の３個所に開口してある（図４参照）。ダックビル弁４２は市販品（米国バーネイ  ラボラトリーズ社製ＶＡシリーズ）であって、図４に示すように一端に液入口４５を有し、他端に先すぼまり状のチェック弁４６を備えたゴム成形品からなり、天然ゴム、合成ゴム、シリコンゴムなどを素材にして形成してある。液入口４５側の開口周縁にはフランジ４７が張り出し形成してあり、図１に示すようにフランジ４７を外刃ホルダー４３の内面側から受液口４０の装着座に接合し、固定リング４８でフランジ部４７を装着座に押し付けることにより、ダックビル弁４２が外刃ホルダー４３に固定される。
【００４５】
先に説明したように、電気かみそりを装填部２０の上面に装填した状態においては、継手体３５がダックビル弁４２の液入口４５の内面に密着嵌合する。クリーニング液が液入口４５に送給されてくると、チェック弁４６が開いてクリーニング液をかみそりヘッド２内へ受け入れることができる。クリーニング液の送給が停止されると、チェック弁４６は自己の弾性で閉じるので、クリーニング液がかみそりヘッド２の側からダックビル弁４２の内部へ逆流するのを阻止できる。
【００４６】
ファン１４は軸流ファンからなり、かみそりヘッド２と正対する側枠５４のファン室５０に収容されている。ファン１４から送出された乾燥風は、かみそりヘッド２の頂部へ向かって吹き付けられる。
【００４７】
ファン室５０を含む側枠５４には、洗浄部１８およびかみそりヘッド２を覆う洗浄部カバー５５が設けてある。洗浄部カバー５５は、前後壁と上壁とを一体に備えた断面コ字状の枠状に形成する。洗浄部カバー５５は、その側端が側枠５４に軸５６で軸支されて、洗浄部１８およびかみそりヘッド２の上部空間を覆う被覆姿勢（図１に示す状態）と、洗浄部１８およびかみそりヘッド２の外面を開放する開放姿勢（図２に示す状態）とに揺動開閉できる。図示していないが、洗浄部カバー５５を被覆姿勢にした状態においてのみ、クリーニング装置および電気かみそりへの給電を許す安全スイッチを設けることができる。例えば、洗浄部カバー５５が被覆姿勢になっていない状態では、制御スイッチ５２をオン操作したとしても、クリーニング装置および電気かみそりのいずれもが作動できないようにする。
【００４８】
被覆姿勢に切り換えた洗浄部カバー５５を開放不能に固定保持するために、洗浄部カバー５５とハウジング１１との間にロック構造を設けている。図２においてロック構造は、洗浄部カバー５５の前後壁の下縁先端に下向きに突設されるロック腕５７と、ロック腕５７の突端に設けられるロック爪５８と、ハウジング１１の前後壁１１ａの内部空間に凹み形成されたロック凹部５９と、ロック凹部５９に臨んで配置される砲弾形のロックピース６０と、ロックピース６０をロック凹部５９の内部へ向かって進出付勢するばね６１とで構成する。洗浄部カバー５５を開放操作するときは、図示していない解除ノブでロックピース６０を係合解除操作することにより、ロック爪５８とロックピース６０との係合が解除されて、洗浄部カバー５５を図示していないばねで跳ね上げ開放できる。
【００４９】
洗浄部カバー５５の揺動先端側の内縁に沿って、クリーニング液の飛散を防ぐゴム製のシール６３が固定してある。図２に示す開放姿勢から、洗浄部カバー５５を洗浄室２０へ向かって倒伏揺動すると、ロック腕５７およびロック爪５８がロック凹部５９に入り込み、ロック爪５８がロックピース６０を乗り越えたのち、ロックピース６０と係合して被覆姿勢を保持できる。このとき、シール６３は電気かみそりの本体部１の外面に密着して、電気かみそりを装填部２０に向かって押し付ける。したがって、洗浄時に内刃４の往復振動によって本体部１が振動する場合でも、本体部１が装填部２０から浮き離れるのを防止して、継手体３５とダックビル弁４２の連結状態を確実に維持し、さらにプラグ９とコネクター３６の係合連結状態を確実に維持し続けることができる。
【００５０】
以上のように構成したクリーニング装置によれば、電気かみそりを装填部２０に装填し、洗浄部カバー５５を被覆姿勢にしたのち、ハウジングの外面に設けられた制御スイッチ５２をオン操作することにより、図５に示すタイミングチャートに示すように、ポンプ１３が駆動されてかみそりヘッド２の内部にクリーニング液が直接送給される。ポンプ１３の駆動と同時に、モーター５が起動されて内刃４を駆動しながらかみそりヘッド２の内部を洗浄できる。このときの内刃４の駆動速度は、ひげそり時の駆動速度と同じである。このように、本発明のクリーニング装置によれば、クリーニング液の全てをかみそりヘッド２内へ送給するので、かみそりヘッド２の内部の洗浄を短時間で効果的に行え、しかもクリーニング液の無駄な消費を抑制して効率よくかみそりヘッド２を洗浄できる。洗浄後のクリーニング液は、外刃３の刃穴から排出され、ろ過体２４でろ過されたのちタンク１２に回収される。
【００５１】
洗浄開始から一定時間が経過し、ポンプ１３からのクリーニング液の供給が停止されるのと同時に、ファン１４を回転駆動するモーターが起動されて、かみそりヘッド２へ向かって乾燥風が送給される。乾燥開始から一定時間が経過すると、ファン１４が停止され、２次電池６に充電電流を供給して充電を行う。充電状態であることは、本体部１に設けたＬＥＤ７を点灯することで表示できる。
【００５２】
受液口４０に逆止弁４２を設けると、通常のひげそり時には受液口４０を逆止弁４０で閉止保持して、かみそりヘッド２内に溜まった毛屑が外部へ漏れ出るのを確実に防止できる。また、ポンプ１３を停止するのと同時に受液口４０を逆止弁４０で閉止して、逆止弁４２を通過したクリーニング液が逆流するのを確実に防止して、毛屑や皮脂を含む洗浄後のクリーニング液が継手体３５の側へ逆流するのを阻止できる。したがって、受液口４０や継手体３５が毛屑や皮脂で汚損されるのを防いで、衛生的な状態に維持できる。
【００５３】
図６ないし図１２は、それぞれ本発明の別の実施例を示す。これらの実施例においては、上記の実施例と異なる点を主に説明し、同じ部材には同じ符号を付してその説明を省略する。
【００５４】
図６に示すクリーニング装置は、側枠５４と対向するハウジング１１の側端に、電気かみそりを装着するためのホルダー６５を配置し、ホルダー６５を反転状に回動操作することにより、電気かみそりを装填部２０に装填できるようにした。ホルダー６５は、下端に受台６６を備えたＬ字状の枠体からなり、枠体の上部に本体部１の前後面を抱持する保持腕６７を備えている。
【００５５】
通路３７の途中には、金属イオンを洗浄液中に溶出させるためのイオン溶出ユニット９５が介装してある。イオン溶出ユニット９５の内部には、一対の金属電極９６がそれぞれ洗浄液に接触する状態で対向配置してあり、これらの金属電極９６に、溶出電流を供給することにより、金属イオンを洗浄液中に溶出させることができる。図５で示すように、溶出電流はポンプ１３の駆動と同時に供給する。金属電極９６は銀または銅で形成してあり、前者の場合には銀イオンが溶出し、後者では銅イオンを溶出する。洗浄液中に溶出した銀イオンまたは銅イオンは外刃３や内刃４などの表面に付着し、その抗菌作用によって雑菌の繁殖を防止し、異臭の発生を防ぐことができる。
【００５６】
ホルダー６５は軸６８で軸支されて往復回動でき、図６に想像線で示すように、かみそりヘッド２が洗浄部１８に臨む洗浄姿勢と、かみそりヘッド２が洗浄部１８から退避して、電気かみそりが起立する待機姿勢との間を往復変位できる。本体部１の下端には、給電用のプラグ（コネクター）９が設けられており、これに対応して受台６６にはプラグ９を差し込み連結するためのコネクター３６が設けてある。ホルダー６５に電気かみそりを装着したのち、ホルダー６５を洗浄姿勢に反転操作すると、電気かみそりの受液口４０が継手体３５と連結される。ホルダー６５の姿勢変更は自動的に行うことができる。
【００５７】
図７に示すクリーニング装置は、装填部２０の上面に電気かみそりを装着するためのホルダー６５を配置し、ホルダー６５を装填部２０に沿って往復スライドすることにより、かみそりヘッド２を洗浄部１８に対して出し入れできるようにした。この場合のホルダー６５は、電気かみそりの全体を支持する台板７０を備えており、台板７０の前後側面が装填部２０に設けたガイドレール７１で往復スライド自在に案内支持してある。台板７０の上面には、継手体３５とコネクター３６が設けてある。継手体３５とポンプ１３とは、コイル状に巻かれた通路３７を介して接続してある。この実施例においては、洗浄部カバー５５を省略するかわりに、洗浄部１８の上面および前後面を、洗浄部カバー５５と同じ形の固定壁７２で覆い、その開口内縁に沿ってシール６３を設けた。電気かみそりを洗浄姿勢にした状態では、本体部１がシール６３で押圧保持されており、これにより継手体３５とダックビル弁４２との連結状態を確実に維持し続けることができる。また、洗浄部１８から離れた開放的な空間で、液入口４５と継手体３５とを接続でき、電気かみそりのホルダー６５に対する装着を簡便かつ容易に行える。
【００５８】
図８に示すクリーニング装置では、洗浄部１８の上方に装填部２０を斜めに傾斜する状態で設け、装填部２０の傾斜壁の中途部に継手体３５を設け、傾斜壁の上部に電気かみそりを倒立姿勢で支持するホルダー６５を設けた。ホルダー６５は、電気かみそりの本体部１を周回状に抱持するソケット部７５を備えている。ホルダー６５は軸６８で軸支されて往復回動でき、図６に想像線で示すように、かみそりヘッド２が洗浄部１８に臨む洗浄姿勢と、かみそりヘッド２が洗浄部１８から退避して、電気かみそりが倒立する待機姿勢との間を往復変位できる。
【００５９】
ホルダー６５とハウジング１１との間には、図８に実線で示す状態を保持できる節度手段が設けてある。洗浄時には、電気かみそりをホルダー６５に装着したのち、節度手段の保持力に抗して電気かみそりを下向きに回転操作することにより、電気かみそりおよびホルダー６５が、重量による回転モーメントによって回動変位し、受液口４０（および液入口４５）に継手体３５を連結し、その状態を維持できる。必要があれば、継手体３５が受液口４０に接当した状態で、電気かみそりを下向きに押さえて、継手体３５を液入口４５に圧入連結することができる。
【００６０】
ソケット部７５の内面には、電気かみそりの本体部１に設けたコネクター９に接続されるコネクター３６が設けてある。ホルダー６５を洗浄姿勢にした状態では、電気かみそりの受液口４０が継手体３５と連結され、倒立姿勢にした状態でかみそりヘッド２の内部を洗浄できる。このように、倒立姿勢でかみそりヘッド２を洗浄すると、洗浄後のクリーニング液を効果的に排出できる。
【００６１】
図９に示すクリーニング装置は、基本的に図１から図４で説明したクリーニング装置と同じであるが、ハウジング１１内にオゾン発生装置７８を設け、オゾン発生装置７８で生成したオゾンをクリーニング液とともにかみそりヘッド２へ送給できるようにした。そのために、通路３７の中途部にノズル７９を配置し、ノズル７９とオゾン発生装置７８とを通路８０で連通した。さらに、オゾン発生装置７８の吸込通路側にヒーター８１と送風ファン８２を配置して、オゾン発生装置７８で生成したオゾンを強制的に送給できるようにした。
【００６２】
オゾン発生装置７８は、昇圧されたパルス電流を放電電極間に印加してコロナ放電させることによりオゾンを発生でき、図５に示すようにポンプ１３の駆動と同時にパルス電流を供給する。また、ヒーター８１と送風ファン８２は、適宜作動させて温風をオゾン発生装置７８へ供給することができる。オゾン発生装置７８は除菌可能なイオン発生装置に換えることができる。
【００６３】
上記のように、オゾンをクリーニング液とともにかみそりヘッド２へ送給すると、オゾンの酸化作用によって外刃３や内刃４の表面を殺菌し、脱臭できるので、かみそりヘッド２を洗浄し終わった状態において腐敗臭が残るのを解消して、かみそりヘッド２の内部を衛生的で清潔な状態に維持できる。
【００６４】
図１０は、継手体３５とダックビル弁４２の別の接合構造を示す。そこでは、先の実施例における継手体３５の出口側の継手筒３５ｂを省略し、入口側の継手筒３５ａとボス３５ｃとで継手体３５を構成した。ダックビル弁４２は受液口４０の外面側から装着する。電気かみそりを装填部２０の上面に装填した状態においては、ダックビル弁４２の液入口４５の周縁壁が継手体３５のボス３５ｃに密着接合して、両者の接合面をシールできる。
【００６５】
図１１は、クリーニング液供給構造の別の実施例を示す。そこでは、本体部１に受液口４０を形成し、ダックビル弁４２はかみそりヘッド２の内面のヘッドフレーム８５に装着した。受液口４０とダックビル弁４２とは屈曲可能な通路８４で連通した。継手体３５の出口側の継手筒３５ｂにはシールリング８６を装着して、継手筒３５ｂと受液口４０との間をシールできるようにした。この実施例から理解できるように、受液口４０は本体部１とかみそりヘッド２の任意の位置に設けることができる。
【００６６】
図１２は受液口４０に設けられる逆止弁４２の別の実施例を示す。図１２（ａ）では、外刃ホルダー４３の内面に配置されるボール弁８８と、ボール弁８８を閉じ付勢するばね８９とで逆止弁４２を構成した。図１２（ｂ）では、受液口４０の内面側の開口縁に平板状のリード弁９０を配置して逆止弁４２とした。リード弁９０は、ゴム等の弾性変形可能な板材で形成してあり、その一端が受液口４０の開口周縁壁に固定してある。これらの実施例においては、受液口４０に送給されたクリーニング液の圧力によってボール弁８８、およびリード弁９０が開放され、ポンプ１３が停止するのと同時にボール弁８８、およびリード弁９０が受液口４０を閉止するので、クリーニング液が通路３７の側へ逆流するのを阻止できる。
【００６７】
図１３に示すクリーニング装置は、電気かみそりを装填部２０に装填してかみそりヘッド２を洗浄部１８に臨ませた状態で、接続レバー１０１を押し込み操作することにより、コネクター３６を本体部１のプラグ９に接続し、同時に継手体３５を受液口４０に連結できるようにした。
【００６８】
詳しくは、軸１０２で揺動可能に軸支した接続レバー１０１の外端下面にコネクター３６を設け、接続レバー１０１の内端に部分円弧状の操作ラック１０３を設ける。操作ラック１０３に隣接して、往復スライド自在な継手ホルダー１０４を設け、継手ホルダー１０４の下端に継手体３５を固定する。継手ホルダー１０４の操作ラック１０３との対向面には受動ラック１０５が形成してあり、この受動ラック１０５はピニオン１０６を介して先の操作ラック１０３と連動可能に噛み合っている。洗浄時には、電気かみそりを装填部２０に装填したのち、接続レバー１０１を押し下げ操作すると、コネクター３６とプラグ９とを電気的に連結できるうえ、継手ホルダー１０４を下降移動させて、継手体３５を受液口４０に連結し、ボール弁８８を継手体３５でばね８９の付勢力に抗して開弁できる。この状態で制御スイッチ５２をオン操作することにより、洗浄を開始できる。洗浄部カバー５５に設けたのと同等の安全スイッチを設けておき、この安全スイッチを接続レバー１０１の揺動動作によってオン操作することができる。なお、逆止弁４２は省略することができる。
【００６９】
上記の実施例以外に、継手体３５は装填部２０に設ける必要はなく、装填部の近傍のハウジング１１の外面に設けることができる。必要があれば、図７で説明した通路３７をハウジング１１の外面に導出しておき、その導出端に固定した継手体３５を、装填部２０に装着した電気かみそりの受液口４０に差し込み接続することができる。洗浄部カバー５５は揺動開閉する必要はなく、往復スライドして開閉することができる。また、洗浄部カバー５５は、かみそりヘッド２を含む電気かみそりの全体を覆う構造とすることができる。
【００７０】
かみそりヘッド２には少なくとも１個ずつの外刃３と内刃４とが設けてあればよい。ろ過体２４はマット状である必要はなく、籠状や容器状に形成することができる。本発明のクリーニング装置は、
【図面の簡単な説明】
【００７１】
【図１】クリーニング装置の概略構造を示す断面図である。
【図２】クリーニング装置の正面図である。
【図３】電気かみそりをクリーニング装置に装填した状態の概略図である。
【図４】逆止弁の配置及び構造を示す正面図である。
【図５】洗浄時における電気かみそりの駆動例を示すタイミングチャートである。
【図６】クリーニング装置の別の実施例を示す概念図である
【図７】クリーニング装置のさらに別の実施例を示す概念図である。
【図８】クリーニング装置のさらに別の実施例を示す概念図である。
【図９】クリーニング装置のさらに別の実施例を示す概念図である。
【図１０】継手体と逆止弁の接合構造の別実施例を示す断面図である。
【図１１】クリーニング液の別の供給構造を示す概念図である。
【図１２】逆止弁の別の実施例を示す断面図である。
【図１３】クリーニング装置のさらに別の実施例を示す概念図である。
【符号の説明】
【００７２】
１１  ハウジング
１２  タンク
１３  ポンプ
１８  洗浄部
１９  液受室
２０  装填部
３５  継手体
４０  受液口
４２  逆止弁
【図１】
2008119033.tif 000003
【図２】
2008119033.tif 000004
【図３】
2008119033.tif 000005
【図４】
2008119033.tif 000006
【図５】
2008119033.tif 000007
【図６】
2008119033.tif 000008
【図７】
2008119033.tif 000009
【図８】
2008119033.tif 000010
【図９】
2008119033.tif 000011
【図１０】
2008119033.tif 000012
【図１１】
2008119033.tif 000013
【図１２】
2008119033.tif 000014
【図１３】
2008119033.tif 000015